(57)【要約】【課題】遊技球の流動領域と表示画面領域とを左右に分離して、打ち出す遊技球の目的位置を狭めることができ、かつ釘等の障害物の取り付け等の加工作業を容易にする。【解決手段】発射強度の調整幅が少なく、遊技者は目的の部位へ遊技球を打ち出し易くなる。また、始動入賞口１０６の上部に、はかま釘を配置するための領域が確保できるため、始動入賞口１０６への入賞率をほぼ設計どおりにすることができる。さらに、遊技盤本体１００での遊技球の流動性を維持しつつ、ＬＣＤ１０２に表示される画像を見やすくすることができる。【選択図】図４
2008035955.tif 000002
【特許請求の範囲】
【請求項１】
遊技者により調整された発射強度で打ち出され、この打ち出し目的位置から自重によって流下する遊技球の流下案内壁を備え、当該流下案内壁には少なくとも遊技球の流下を制限する障害物、及び遊技の進行に変化をもたらす役物が設けられた遊技盤本体と、
前記流下案内壁上での、遊技球の流下を含む、遊技の進行に応じて、演出画像及び情報報知画像を表示するための画像表示装置とを有し、
前記遊技盤本体と画像表示装置とが、互いに遊技球自重落下方向と交差する方向に並列に配置され、前記遊技球の打ち出し目的位置が、前記遊技盤本体と画像表示装置との境界の上端近傍であることを特徴とする遊技盤。
【請求項２】
前記画像表示装置の周縁には、前記遊技球の移動軌跡と完全に分離する仕切り壁が設けられ、前記打ち出される遊技球の軌跡、並びに、自重で流下する軌跡が、遊技者の視線上において、前記画像表示装置の画像表示面と干渉しないことを特徴とする請求項１記載の遊技盤。
【請求項３】
前記遊技球を前記役物へ導くために必要十分な助走案内路が、前記障害物による袴状の構成物によって形成されていることを特徴とする請求項１又は請求項２記載の遊技盤。
【請求項４】
前記障害物が釘であり、前記遊技盤本体へ複数の釘を左右対称、かつ下端に向かう末広がりに打ち込み、その上端の隙間が遊技球が通過でき得る必要最小限の寸法を基準として設定され、下端の隙間の中心と上端の隙間の中心との相対位置を基準として前記役物が配置されることを特徴とする請求項３記載の遊技盤。
【請求項５】
前記請求項１乃至請求項４の何れか１項記載の遊技盤を備えたことを特徴とする遊技機。
【発明の詳細な説明】
【技術分野】
【０００１】
本発明は、比較的大画面によって、演出画像や情報報知画像を表示する画像表示装置を備えた遊技盤及び遊技機に関するものである。
【背景技術】
【０００２】
従来、遊技機、特にパチンコ機において、遊技盤には、その中央部にセンター役物が設けられ、発射された遊技球が流動する遊技盤面領域とは、基本的に分離されている。なお、遊技仕様によって、所定の条件が成立した時点で、センター役物内への遊技球の流入を許容する場合もある。センター役物は、遊技球を振り分けるもの及び表示装置（一般には、ＬＣＤ）を備えたものが主流となっている。
【０００３】
このＬＣＤでは、遊技盤上に設けた始動入賞口に遊技球が入賞したときに実行される特別図柄抽選の結果を、所定の演出図柄を用いた図柄変動パターン演出によって報知したり、大当たり時に実行される大当たり処理に応じて、所定のキャラクタを登場させ、遊技者に遊技性を増大する演出を行うようになっている。
【０００４】
例えば、図柄変動パターン演出は、３列の図柄変動列をそれぞれスクロール表示し、最終的に各列が停止したときの図柄配列で、抽選の当選又は落選等を報知する。例えば、図柄が数字の場合、同一の数字図柄（「４、４、４」、「７、７、７」等）が揃った場合に当選（大当たり）、それ以外は落選となる。
【０００５】
この特別図柄抽選の結果「大当たり」に当選した場合には、通常遊技状態では常に閉止状態の大入賞口（「アタッカー」と称する場合がある）を開放し、大入賞口への入賞機会を増大させて遊技者に対する賞品球の集中的な払い出しを可能にする有利な遊技状態（以下、「特別遊技状態」という）を付与することがなされている。
【０００６】
大入賞口は、一般には、３０秒間開放し、その後一旦閉止する動作を１５ラウンド程度さらに継続する（合計で最大１６ラウンド）。また、アタッカーの開放中に概ね１０個の遊技球が入賞（入賞による払出数は１５個）することで、３０秒を待たずに閉止して、次ラウンドへ移行するようになっており、結果として、特別遊技状態では、短期間に１５０個前後の入賞が期待できる（賞球数としては、約２２５０個）。
【０００７】
ところで、近年では、上記ＬＣＤによる画像表示が、遊技進行の主体になりつつあり、これに準じて、表示画面サイズが徐々に大型化している。このため、遊技盤面、すなわち遊技球流動領域が浸食され、打ち出された遊技球は最上部で左右に大きく振り分けられ、目的の部位（例えば、始動入賞口、大入賞口等）へ案内しずらくなっている。
【０００８】
このため、遊技盤を透明な板材（透明アクリル板）で形成し、この透明アクリル板に釘を打ち込むと共に、裏面側に遊技盤とほぼ同形状の大型ＬＣＤ（例えば、２０インチ程度）を配置する、前面液晶タイプの遊技盤構造が提案されている（特許文献１参照）。
【特許文献１】特開平１１−２６３０５号公報
【発明の開示】
【発明が解決しようとする課題】
【０００９】
しかしながら、上記背景技術では、ＬＣＤの表示画面に重なるように遊技球の流路を設けることによって、遊技球の流れに遊技性を持たせている反面、演出画像等を見る遊技者の視線を遊技球が遮ることで、物理的に邪魔になる。また、遊技者の視点が遊技球の流れにつられて移動してしまい、心理的に表示画面が見づらくなる。
【００１０】
さらに、同じ領域に遊技盤面と表示画面とを配置するために必須となる透明な板材（透明アクリル板）に釘を打ち込むことは、従来のベニヤ合板製の遊技盤と比較して、ひび割れ等が発生し易く、加工作業が煩雑となる。
【００１１】
また、従来のように透明な板材に釘を打ち込んだ構成では、遊技球が釘に衝突する衝撃力、あるいは遊技球が透明な板材に衝突する衝撃力に起因して、漸次微細なひび割れが積み重なり、透明度を減少させる。これにより、遊技者は透明な板材を通してＬＣＤの表示面を視覚認識するため、充分な表示演出を遊技者に提供できないという自体を招く。
【００１２】
本発明は上記事実を考慮し、遊技球の流動領域と表示画面領域とを左右に分離して、打ち出す遊技球の目的位置を狭めることができ、かつ釘等の障害物の取り付け等の加工作業を容易にすることができる遊技盤及び遊技機を得ることが目的である。
【課題を解決するための手段】
【００１３】
請求項１に記載の発明は、遊技者により調整された発射強度で打ち出され、この打ち出し目的位置から自重によって流下する遊技球の流下案内壁を備え、当該流下案内壁には少なくとも遊技球の流下を制限する障害物、及び遊技の進行に変化をもたらす役物が設けられた遊技盤本体と、前記流下案内壁上での、遊技球の流下を含む、遊技の進行に応じて、演出画像及び情報報知画像を表示するための画像表示装置とを有し、前記遊技盤本体と画像表示装置とが、互いに遊技球自重落下方向と交差する方向に並列に配置され、前記遊技球の打ち出し目的位置が、前記遊技盤本体と画像表示装置との境界の上端近傍であることを特徴としている。
【００１４】
請求項１記載の発明によれば、遊技球自重落下方向と直交する方向（左右方向）に分離することで、打ち出された遊技球が到達する最上部の幅が狭まり、発射強度の調整が容易となる。
【００１５】
また、遊技盤本体と画像表示装置とが遊技者の視線上で重なっていないため、遊技盤本体を不透明のベニヤ合板で形成することができ、釘等の障害物の打ち込み等の加工作業が容易となると共に、遊技球の流動に遊技者の視線を奪われることがなく、また、画像表示装置に遊技球が直接又は間接的に衝突することもないため、遊技者に対する視覚情報提供の確実化が図られる。
【００１６】
請求項２に記載の発明は、前記請求項１に記載の発明において、前記画像表示装置の周縁には、前記遊技球の移動軌跡と完全に分離する仕切り壁が設けられ、前記打ち出される遊技球の軌跡、並びに、自重で流下する軌跡が、遊技者の視線上において、前記画像表示装置の画像表示面と干渉しないことを特徴としている。
【００１７】
請求項２記載の発明によれば、前記打ち出された遊技球は、その流下軌跡が前記画像表示装置の表示面と、遊技者の視線上で重なることがない。すなわち、遊技球は、遊技盤本体の最上部に案内され、流下案内壁の領域内のみを通る。これにより、画像表示装置の表示画面の視界が、遊技球によって妨げられることがない。
【００１８】
請求項３に記載の発明は、前記請求項１又は請求項２に記載の発明において、前記遊技球を前記役物へ導くために必要十分な助走案内路が、前記障害物による袴状の構成物によって形成されていることを特徴としている。
【００１９】
請求項４に記載の発明は、前記請求項３に記載の発明において、前記障害物が釘であり、前記遊技盤本体へ複数の釘を左右対称、かつ下端に向かう末広がりに打ち込み、その上端の隙間が遊技球が通過でき得る必要最小限の寸法を基準として設定され、下端の隙間の中心と上端の隙間の中心との相対位置を基準として前記役物が配置されることを特徴としている。
【００２０】
請求項３に記載の発明によれば、遊技盤本体と画像表示装置が完全に分離された構造であっても、流下案内壁の上下方向（遊技球をおおまかな流下方向）は、現存する遊技盤の領域（長さ）が確保されるので、例えば、遊技球を役物（入賞口）へ誘導する障害物構成（請求項４の場合は、はかま釘等）を容易に設定することができる。
【発明の効果】
【００２１】
以上説明した如く本発明では、遊技球の流動領域と表示画面領域とを左右に分離して、打ち出す遊技球の目的位置を狭めることができ、かつ釘等の障害物の取り付け等の加工作業を容易にすると共に表示画面領域に表示される視覚情報を確実に遊技者に提供することができるという優れた効果を有する。
【発明を実施するための最良の形態】
【００２２】
（パチンコ機の構成）
図１及び図２に示されるように、パチンコ機１０の前面下部には、化粧パネルとなる下飾り１２が取り付けられている。
【００２３】
また、パチンコ機１０の下飾り１２の上部には、ガラス板１４を装着したガラス枠１６が配置されており、ガラス枠１６は左側端部が軸支されて開閉可能に取り付けられている。このガラス枠１６の裏面側には、矩形状の開口部が設けられ、交換可能とされた遊技盤１８がセットされており、遊技盤１８は、ガラス枠１６を閉塞した状態でガラス板１４に対向するようになっている。
【００２４】
ガラス枠１６におけるガラス板１４の周囲には、遊技の進行に応じて点灯、消灯、及び点滅し照明による演出効果を生み出す照明演出用の表示灯２０が配置されており、上部には、遊技の効果音をステレオ出力するスピーカ２２Ｌ、２２Ｒが配設されている。
【００２５】
ガラス枠１６の下部には、上皿２４が配置され、上皿２４の下方位置には下皿２５が配置されている（図２参照）。上皿２４の図２の左手前位置には、球抜きレバー２４Ａが設けられ、球抜きレバー２４Ａを操作することにより、上皿２４に収容されていた遊技球が、図示を省略した球通路を経て、下皿２５へ流下する。この上皿２４の右側下部には打球の発射力（飛距離）を調整するための発射ハンドル２６が取り付けられている。
【００２６】
（遊技盤の構成）
図３及び図４に示される如く、遊技盤１８は、遊技盤本体１００と、画像表示装置であるＬＣＤ１０２とを備えている。
【００２７】
遊技盤本体１００には、その最上部に打ち出された遊技球が送り込まれるようになっている。
【００２８】
遊技盤本体１００は、基板となるベニヤ板の表面に樹脂製シート状のセルが貼着されてそのセルの表面が流下案内壁となっている。流下案内壁には、障害物としての複数の釘１０４が予め定められた配列で打ち込まれている。この釘１０４の存在により、前記最上部から自重で落下する遊技球は、釘１０４に当たることで、その流下方向が制限されたり、予期せぬ方向へ跳ね返る等、を繰り返しながら流下していく。
【００２９】
また、遊技盤本体１００の流下案内壁には、適宜位置に始動入賞口１０６（スタートチャッカー）や、大入賞口１０８（アタッカー）等の役物が取り付けられている。
【００３０】
ここで、本実施の形態の遊技盤本体１００は、縦長の長方形であるため、上下方向の遊技球の流下領域が十分確保されている。従って、経験的、統計的に遊技球を案内し易い、はかま釘構造（図５参照）をとることが可能となっている。
【００３１】
図５に示される如く、例えば始動入賞口１０６の上方には、複数の釘１０４が左右対称、かつ上から下まで徐々にその間隔が拡がるように打ち込まれている（全体として末広がりとなる上記構成を以下、「はかま釘１１０」という）。
【００３２】
最上端の一対の釘１０４の間隔寸法Ｗ１（図５参照）は、遊技球の外径を基準として設定されており、当該遊技球の外径よりも若干大きめとされる。また、最下端の一対の釘１０４の間隔寸法Ｗ２（図５参照）は、前記最上端よりも大きく、その中心点ＰＣに前記始動入賞口の左右の中心線ＣＬがほぼ重なるように配置される。
【００３３】
また、最上部、あるいは最上部から２番目、３番目に位置する各対の釘１０４、１０４の中心点と、最下端の一対の釘１０４、１０４の中心点ＰＣとの中点との相対位置を調整すること、及び上述した一対の釘１０４、１０４の間隔寸法調整（最小で遊技球径寸法よりも僅かに大きい寸法）により、遊技球が始動入賞口１０６に入賞することの安定化を図ることができる。
【００３４】
言い換えれば、図５に示される如く、はかま釘１１０は、末広がりに釘１０４を配列する必要があるため、縦方向に十分な領域があることが条件となる。
【００３５】
上記遊技盤本体１００及びＬＣＤ１０２は、互いに左右方向に並設され、フレーム１１２の裏面側に配設されている。より詳しくは、フレーム１１２は、縦寸法と横寸法とがほぼ同じ（ほぼ正方形）であり、その左右方向中央部において、ＬＣＤ対峙部１１２Ａと、本体嵌込部１１２Ｂとに分類されている。
【００３６】
ここで、ＬＣＤ１１２は、前記ＬＣＤ対峙部１１２Ａに対峙した状態で固定され、遊技盤本体１００は枠状の本体嵌込部１１２Ａに嵌め込まれる。
【００３７】
一方、遊技盤本体１００及びＬＣＤ１０２は、図３に示される如く、共に縦寸法Ｈが横寸法Ｗの約２〜２．５倍（長方形）である。
【００３８】
遊技盤本体１００の裏面側には、役物（前述した、始動入賞口１０６や大入賞口１０８）に流入したり、遊技盤本体に設けられたアウト口から回収した遊技球を受け取り、所定方向に案内するガイド樋や、遊技の進行上の電気的制御（ＬＣＤ駆動制御を含む）や賞球、払い出し等のための制御を司る複数の制御基板が組み込まれたセット板１１４が取り付けられている。
【００３９】
フレーム１１２の本体嵌込部１１２Ｂに遊技盤本体１００が嵌め込まれると、その流下案内壁とＬＣＤ対峙部１１２Ａの表面とは同一平面上となる。この同一平面上となる流下案内壁とＬＣＤ対峙部１１２Ａの境界には、直線帯状の仕切り壁としての仕切板１１６が設けられている。
【００４０】
また、ＬＣＤ対峙部１１２Ａの表面には、遊技盤１８の下部から打ち出され、上昇する遊技球を略円弧状に案内する内レール１１８と外レール１２０とが取り付けられている。
【００４１】
内レール１１８のさらに内側には、円弧状の飾りレール１２２が取り付けられている。
【００４２】
内レール１１８の上端部と、飾りレール１２２の上端部とには、それぞれ板ばね状の戻り防止弁１２４、１２６が設けられており、この戻り防止弁１２４、１２６を通過した遊技球は、通ってきた軌跡には、戻らない構造となっている。
【００４３】
すなわち、内レール１１８の戻り防止弁１２４を通過した遊技球は、さらにその先（下流側）にある飾りレール１２２の戻り防止弁１２６を通過するか、内レール１１８と飾りレール１２２との間を通って、下皿２５等に戻されるようになっている。
【００４４】
また、飾りレール１２２の戻り防止弁１２６を通過した遊技球は、遊技盤本体１００の最上部のみに送られることになる。
【００４５】
この結果、所定以上の発射強度で打ち出すことで、遊技盤本体１００の最上部へ到達させることができ、かつ、その幅寸法が小さいので、ラフな発射強度調整でも所望の最上部の位置を狙うことができる。
【００４６】
なお、フレーム１１２の表面側には、ＬＣＤ対峙部１１２Ａの一部（半月状）と遊技盤本体１００の一部（半月状）を残した状態（露出した状態）で、ベニヤア飾り１２８が取り付けられている。このベニヤ飾り１２８には、例えば、表示器を取り付けることができる。
【００４７】
以下に本実施の形態の作用を説明する。
【００４８】
（パチンコ機１０の遊技の流れ）
パチンコ機１０による遊技では、遊技者が発射ハンドル２６を操作すると、一球づつ発射される。発射された遊技球は、外レール１２０に沿って遊技盤本体１００の最上部に打ち込まれ、この最上部から自重で落下していき、釘１０４に当たって方向を変えながら遊技領域内を流下する。そして、入賞せずに遊技領域の下端部に至った遊技球はアウト口１２４からパチンコ機１０内に回収される。
【００４９】
遊技球が始動入賞口１０６へ入賞すると、当たり／外れの抽選処理が実行され、その抽選結果は、ＬＣＤ１０２に、所定のパターンで変動され、その変動パターンを経て停止表示される。
【００５０】
（大当たり処理）
前記抽選処理の結果が大当たりの場合、まず、その抽選結果の報知として、ＬＣＤ１０６の表示領域に、例えば「４４４」や「７７７」等の予め定められた所定の大当たり図柄の組み合わせが表示されるとともに、照明演出用の表示灯２０の点滅やスピーカ２２Ｌ、２２Ｒからの効果音出力などによる演出を加えて、大当たりが発生したことを遊技者に報知し、その後、所定の大当たり処理を実行する。
【００５１】
大当たり処理としては、大入賞口１０８が、最高１５又は１６ラウンド開閉される。大入賞口１０８は開放すると、例えば１０カウント（入賞個数）入賞又は３０秒経過、の何れかの成立で閉止され、これが１ラウンドとなる。
【００５２】
なお、大入賞口１０８内にＶゾーンを設けた遊技仕様の場合には、１回の大入賞口１０８開放時にＶゾーンへの入賞を果たすことで次ラウンドを継続するといった動作が行われる。
【００５３】
これにより、遊技者は、発射した遊技球ＰＢを大入賞口１０８へ容易に入賞させ、例えば入賞１個当たり１５個の払い出しを受けるなどして、大量の賞球を獲得できるようになる。
【００５４】
ここで、本実施の形態の遊技盤１８では、前記抽選の結果等を報知するＬＣＤ１０２と、遊技盤本体１００とを、図３の左右に並設し、遊技球が、ＬＣＤ１０２を見るための遊技者の視線と干渉しないように、仕切壁１１６や飾りレール１２２等で完全に仕切る構造とした。
【００５５】
また、ＬＣＤ１０２は、パチンコ機１０の遊技盤１８を取り付ける領域の約１／２を占有することになり、大型で見易い、演出画像や情報報知画像を表示することができる。言い換えれば、従来は、前記約１／２を占有するような大型のＬＣＤを適用する場合、遊技盤本体を透明板で形成するといった、様々な制限があったが、本実施の形態では、図３の右側の約１／２を占有する遊技盤本体１００は、従来のベニヤ合板で構成することができる。この結果、釘の打ち込みや役物の取り付け等の加工作業において、従来の同等の設備が適用可能であり、新たに設備投資を行う必要がない。
【００５６】
以下、現状（従来）の遊技盤と本実施の形態の遊技盤１８とを比較する。
【００５７】
（遊技領域）
従来の遊技盤のセンター役物が大型化してきており、実際の遊技領域（遊技球が流下する領域の統計）は、打ち出される遊技球が到達する最上端の幅方向寸法は広く、センター役物が配置された高さ方向中央部は、センター役物の左側が流路のほとんどを占めており、結果として前記中央部の幅方向寸法は狭く、始動入賞口及び大入賞口が配置されている下部の幅方向寸法は広い。すなわち、遊技球の流下方向に沿って、「広い→狭い→広い」となっており、最上端へ打ち出す発射強度を精度よく調整しないと、センター役物の左側へ送ることができない。
【００５８】
これに対して本実施の形態では、遊技球を打ち出す遊技盤本体の最上部が、図３の右半分（遊技盤１８全体の幅寸法の約１／２）であるため、発射強度の調整幅が少なく、遊技者は目的の部位へ遊技球を打ち出し易くなる。
【００５９】
（遊技球案内）
遊技球を安定して所定の方向へ案内する構成の１つとして、所謂「はかま釘」がある。このはかま釘１１０は、複数の釘１０４を左右対称、かつ末広がりに打ち込み、その上端の隙間が、遊技球が通過でき得る必要最小限の寸法を基準として設定され、下端の隙間の中心を基準として例えば、役物が配置される。ここで、役物としての始動入賞口１０６の上部に「はかま釘１１０」を配置すれば、入賞率を安定させることができるが、従来の遊技盤では、始動入賞口のすぐ上にセンター役物が存在するため、はかま釘を配置する上下方向のスペースを十分に確保することができない。
【００６０】
これに対して、本実施の形態では、縦長の遊技盤本体１００であり、ＬＣＤ１０２とは完全に分離されているため、役物としての始動入賞口１０６の上部に、はかま釘１１０を配置するための領域が確保できるため、始動入賞口１０６への入賞率をほぼ設計どおりにすることができる。この結果、所謂出球率等の計算も容易となる。
【００６１】
（画像表示）
従来の遊技盤は、センター役物の中央にＬＣＤを配置する構成となっている。このとき、遊技盤（ひいてはパチンコ機）の外形寸法が変わらないにも関わらず、ＬＣＤのみが大型化（５インチサイズ→７インチサイズ）してきており、その分センター役物が遊技盤の遊技球流動領域を侵食し、遊技球の流動性という本来の遊技性が失われつつある。さらに、遊技盤を透明として、その裏面側にＬＣＤ（２０インチサイズ程度）を配置する構成では、遊技球が表示画面上を通過することがあり、表示画面が見づらい場合がある。
【００６２】
これに対して、本実施の形態では、遊技盤本体１００とＬＣＤ１０２とを完全に分離したため、遊技盤本体１００での遊技球の流動性を維持しつつ、ＬＣＤ１０２に表示される画像を見やすくすることができる。
【００６３】
以上説明したように本実施の形態では、発射強度の調整幅が少なく、遊技者は目的の部位へ遊技球を打ち出し易くなる。また、始動入賞口１０６の上部に、はかま釘を配置するための領域が確保できるため、始動入賞口１０６への入賞率をほぼ設計どおりにすることができる。さらに、遊技盤本体１００での遊技球の流動性を維持しつつ、従来発生していた透明板等の透過劣化を招くこともなく、ＬＣＤ１０２に表示される画像を見やすくすることができる。
【００６４】
なお、本実施の形態では、相対的に図３に向かって右側に遊技盤本体１００、左側にＬＣＤ１０２を配置したが、図６に示される如く、左側に遊技盤本体１００、右側にＬＣＤを配置する構成であってもよい。
【図面の簡単な説明】
【００６５】
【図１】本実施の形態に係るパチンコ機を示す正面図である。
【図２】本実施の形態に係るパチンコ機を示す斜視図である。
【図３】本実施の形態に係る遊技盤の正面図（右：遊技盤本体、左：ＬＣＤ）である。
【図４】本実施の形態に係る遊技盤を主要部毎に分解した斜視図である。
【図５】はかま釘の正面図である。
【図６】変形例に係る遊技盤の正面図（左：遊技盤本体、右：ＬＣＤ）である。
【符号の説明】
【００６６】
ＰＢ    遊技球
１０    パチンコ機（遊技機）
１８    遊技盤
１００    遊技盤本体
１２    ＬＣＤ（画像表示装置）
１０４    釘
１０６    始動入賞口（役物）
１０８    大入賞口（役物）
１１０    はかま釘（助走案内路）
１１２    フレーム
１１２Ａ  ＬＣＤ対峙部
１１２Ｂ    本体嵌込部
１１４    セット板
１１６    仕切板
１１８    内レール
１２０    外レール
１２２    飾りレール
１２４、１２６    戻り防止弁
１２８    ベニヤ飾り
【図１】
2008035955.tif 000003
【図２】
2008035955.tif 000004
【図３】
2008035955.tif 000005
【図４】
2008035955.tif 000006
【図５】
2008035955.tif 000007
【図６】
2008035955.tif 000008